(57)【要約】【課題】  脱落がなく、移動が容易で、宣伝・広告能力の高いしおりを提供すること、およびしおりがキャラクターグッズの場合には、そのキャラクターを他人に見せたいという使用者の欲求を満たすしおりを提供すること。【解決手段】  書物１００の間に挟む１以上のしおり本体部２と、書物１００に着脱される環状の弾性体からなる着脱手段３（例えば輪ゴム３０）と、しおり本体部２と着脱手段３とを連結する連結手段４と、を具備するもの。【選択図】        図１
2007062016.tif 000002
【特許請求の範囲】
【請求項１】
書物の間に挟んで目印とするしおり本体部と、
前記書物に着脱可能な着脱手段と、
前記着脱手段と結合されると共に、前記しおり本体部を吊持する連結手段と、
を具備することを特徴とするしおり。
【請求項２】
書物の間に挟んで目印とする１以上のしおり本体部と、
前記しおり本体部と結合されると共に、前記書物に着脱される環状の弾性体からなる着脱手段と、
を具備することを特徴とするしおり。
【請求項３】
書物の間に挟んで目印とする１以上のしおり本体部と、
前記書物に着脱される環状の弾性体からなる着脱手段と、
前記しおり本体部と前記着脱手段とを連結する連結手段と、
を具備することを特徴とするしおり。
【請求項４】
前記しおり本体部に文房具が設けられていることを特徴とする請求項１ないし３のいずれかに記載のしおり。
【発明の詳細な説明】
【技術分野】
【０００１】
この発明は、簡単に本に装着することができるしおりに関するものである。
【背景技術】
【０００２】
従来、読書を中断して書物を閉じる場合、次に読書を再開する際にすぐに中断した頁を開けるようにするため、書物の間に挟んで目印とするしおりが用いられている（例えば、特許文献１）。また、このしおりは、読書中は読んでいる頁とは異なる任意の頁に挟んでおくことが多い。
【０００３】
【特許文献１】特開平２−２５１４９２（第１図）
【発明の開示】
【発明が解決しようとする課題】
【０００４】
しかしながら、従来のしおりは、書物と分離しているため、読書中に任意の頁に挟んでおいたしおりが書物の間から脱落し易いという問題があった。特に、電車の中などで、一方の手で吊革を持ち、片手で読書をする際には、書物の頁間が緩みやすく、しおりが脱落するという問題は顕著になる。
【０００５】
また、従来のしおりは、読書を開始する際や読書を中断する際に、読書を中断していた頁から任意の頁に、あるいは、任意の頁から読書を中断する頁にいちいちしおりを移動させなければならず、煩わしいという問題があった。
【０００６】
また、しおりは、本屋等で所謂ノベルティー商品として配布されることが多く、その表面には宣伝・広告等の情報が記載されている。しかし、しおりを使用する者は、読書する際には、上述したように、しおりを任意の頁に挟んでおき、読書を中断する際には、中断する頁にしおりを挟んで書物を閉じるため、しおりの表面に記載された情報に目を通すことは少なく、宣伝・広告能力はそれ程大きくなかった。
【０００７】
更に、しおりは、キャラクターグッズとして販売されることも多い。この場合、しおりの使用者は、そのキャラクターグッズを他人に見せたいという欲求があるが、上記と同様の理由により、しおりのキャラクターが他人の目に触れる機会はそれ程多くなく、使用者の欲求を十分に満たすものではなかった。
【０００８】
そこで本発明は、しおりの脱落がなく、しおりの移動が容易で、宣伝・広告能力の高いしおりを提供すること、およびしおりがキャラクターグッズの場合には、そのキャラクターを他人に見せたいという使用者の欲求を満たすしおりを提供することを目的とする。
【課題を解決するための手段】
【０００９】
上記目的を達成するために、本発明のしおりは、書物の間に挟む１以上のしおり本体部と、前記書物に着脱可能な着脱手段と、前記着脱手段と結合されると共に、前記しおり本体部を吊持する連結手段と、を具備することを特徴とする。
【００１０】
また、本発明の別のしおりは、書物の間に挟む１以上のしおり本体部と、前記しおり本体部と結合されると共に、前記書物に着脱される環状の弾性体からなる着脱手段と、を具備することを特徴とする。
【００１１】
また、本発明の更に別のしおりは、書物の間に挟む１以上のしおり本体部と、前記書物に着脱される環状の弾性体からなる着脱手段と、前記しおり本体部と前記着脱手段とを連結する連結手段と、を具備することを特徴とする。
【００１２】
この場合、前記しおり本体部に文房具が設けられている方が好ましい。
【発明の効果】
【００１３】
本発明のしおりによれば、しおり本体部を吊持する連結手段を有するので、読書中にしおりが書物から脱落することを防止することができる。また、読書を開始する際に、しおりを別の頁に落ちないように挟んでおいたり、読書を中断する際に、別の頁に挟んでおいたしおりを探したり抜き出したりする手間がなく、素早く読書の開始および中断をすることができる。更に、読書中にしおりを周囲の人が見ることができる書物の外部に吊持することができるので、従来のしおりに比較して、宣伝・広告機能を増大することができる。
【００１４】
また、本発明の別のしおりによれば、環状の弾性体からなる着脱手段によってしおりを書物に着脱するので、書物とそのブックカバーを着脱手段によって押さえることができ、読書中に書物からブックカバーがずれるという煩わしさを防止することができる。
【００１５】
更に、本発明のしおりは、しおり本体部に文房具を設けるので、ノートや手帳等に装着した場合、筆記具等の文房具を探すことなく即座に使用することができる。
【発明を実施するための最良の形態】
【００１６】
以下に、本発明の実施の形態を、図１ないし図５に基づいて詳細に説明する。
【００１７】
本発明のしおり１は、図１に示すように、書物１００の間に挟んで目印とするしおり本体部２と、書物１００に着脱可能な着脱手段３と、着脱手段３と結合されると共に、しおり本体部２を吊持する連結手段４と、で主に構成される。
【００１８】
ここで、書物１００には、書籍の他、ノートや手帳のような書籍の形状と同様のものも含まれる。
【００１９】
しおり本体部２は、従来のしおりと同様に形成されるもので、例えば短冊状に形成されるもの（図１参照）や、紐状に形成されるもの（図２参照）等がある。この際、しおり本体部２は、１個でも複数でも良い。また、しおり本体部２の素材はどのようなものでもよく、紙や布、プラスティックや金属等種々のものを用いることができる。また、しおり本体部２には、例えば宣伝・広告等の情報や、キャラクターなどの絵が記載されることもある。
【００２０】
また、図３に示すように、紐状に形成されたしおり本体部２の先端に、「鉛筆やシャープペンシル、ボールペン等の筆記具」や、「消しゴムや修正液等の修正具」、「定規や分度器」等の文房具５を設けることも可能である。これにより、このしおり１をノートや手帳等に装着した場合、筆記具等の文房具を探すことなく即座に使用することができるという効果がある。
【００２１】
着脱手段３は、例えば図１に示すように、輪ゴム３０を用いることができる。そして、この輪ゴム３０の輪の中に、図５に示すように、書物１００の任意の頁と頁の間および背表紙６の部分を通すことにより、しおり１を書物１００と一体とし、しおり１が書物１００から脱落するのを防止することができる。また、輪ゴム３０を用いることにより、どのような大きさの書物１００に対してもしおり１を確実に装着することができる。更に、ブックカバーの部分を輪ゴム３０で押さえる構造となるため、読書中にブックカバーがずれるという煩わしさを解消することができる。勿論、着脱手段３は、環状の弾性体からなるものであれば、輪ゴム３０でなくても同様の効果を有するのは言うまでもない。
【００２２】
また、着脱手段３は、書物１００に着脱可能に形成されるものであればどのようなものでも良く、例えば図４に示すようにクリップ３１を用いることもできる。この場合、クリップ３１は、書物１００のどの頁に留めても良いが、書物１００の表紙か又は裏表紙に留めるとブックカバーのずれを防止することができる点で好ましい。また、着脱手段３のその他の形態として、紐やベルトで本に結ぶ構造とすることも勿論可能である。
【００２３】
連結手段４は、例えば図１に示すように、紐状に形成され、一端を輪ゴム３０（着脱手段３）に結合されると共に、他端をしおり本体部２に結合される。これにより、輪ゴム３０（着脱手段３）を書物１００に装着した際に、しおり本体部２をこの連結手段４で吊持することができる。なお、連結手段４は、着脱手段３としおり本体部２を連結するものであればどのようなものでも良く、例えば輪ゴムや線状のゴム等の弾性体を用いることも可能である。
【００２４】
次にしおり１の使用態様について説明する。
【００２５】
まず、輪ゴム３０（着脱手段３）の中に、図５に示すように、書物１００の任意の頁と頁の間および背表紙６の部分を通し、連結手段４が書物１００の上部側に来るように調節する。これにより、書物１００とそのブックカバーを輪ゴム３０（着脱手段３）によって押さえるので、読書中に書物１００からブックカバーがずれるという煩わしさを防止することができる。
【００２６】
次に、読書中は、図５に示すように、しおり本体部２を書物１００の背表紙６側に吊持する。この際、しおり本体部２と輪ゴム３０（着脱手段３）とは、連結手段４によって連結されているので、読書中にしおり１が書物１００から脱落することを防止することができる。また、読書を開始する際に、しおり１を落ちないように別の頁に挟んでおいたり、読書を中断する際に、別の頁に挟んでおいたしおり１を探したり抜き出したりする手間がなく、素早く読書の開始および中断をすることができる。
【００２７】
また、読書中にこのしおり１のしおり本体部２を吊持する場合、書物１００が傾いていても、しおり本体部２は自重によって垂直方向に吊持されるので、周囲の人がしおり本体部２に記載されている宣伝・広告等の情報を容易に見ることができる。特に、電車の中等で読書をする場合、本発明のしおり１は、電車の中の吊り広告と同様の役割を担うことができる。更に、しおりがいわゆるキャラクターグッズである場合には、使用者の見せたいという心理と、販売者の宣伝・広告という要望とが合致するため、より大きな効果が期待できる。
【図面の簡単な説明】
【００２８】
【図１】本発明のしおりを示す正面図である。
【図２】本発明の別のしおりを示す正面図である。
【図３】本発明の更に別のしおりを示す正面図である。
【図４】本発明の更に別のしおりを示す正面図である。
【図５】本発明のしおりの使用態様を示す概略斜視図である。
【符号の説明】
【００２９】
１  しおり
２  しおり本体部
３  着脱手段
４  連結手段
５  文房具
６  背表紙
３０  輪ゴム（着脱手段）
３１  クリップ（着脱手段）
１００  書物
【図１】
2007062016.tif 000003
【図２】
2007062016.tif 000004
【図３】
2007062016.tif 000005
【図４】
2007062016.tif 000006
【図５】
2007062016.tif 000007